(57)【要約】【課題】印刷媒体の裏面に広告等を印刷する場合、印刷要求者に適応した有効な広告を印刷すること【解決手段】操作者の操作によって指定された表面印刷データと、操作者の性別、年齢、職業等の属性情報に基づいて選定された裏面広告印刷データを受信する受信手段と、前記受信手段によって受信した前記表面印刷データと前記裏面広告印刷データを媒体の両面に印刷するように制御する印刷制御手段を有する。属性情報は各項目を入力するか、又は会員番号を入力する。【選択図】    図1
2010076260.tif 000002
【特許請求の範囲】
【請求項１】
操作者の操作によって指定された第１面印刷データと、操作者の個人情報に基づいて選定された第２面印刷データを受信する受信手段と、
前記受信手段によって受信した前記第１面印刷データと前記第２面印刷データを媒体の両面に印刷するように制御する印刷制御手段を有することを特徴とする画像形成装置。
【請求項２】
前記第１面印刷データはスキャナーから受信する印刷データであることを特徴とする請求項１記載の画像形成装置。
【請求項３】
前記第１面印刷データは画像形成装置の上位装置から受信する印刷データであることを特徴とする請求項１記載の画像形成装置。
【請求項４】
前記操作者の個人情報は、性別、年齢、住所、職業、学年、学科のうちいずれか一又は複数であることを特徴とする請求項１記載の画像形成装置。
【請求項５】
前記第２面印刷データは複数の印刷データからなり、
前記印刷制御手段は前記複数の印刷データをオーバーレイ印刷することを特徴とする請求項１記載の画像形成装置。
【請求項６】
操作者が指定する印刷データを受付け、更に操作者が入力する操作者の個人情報を受付ける入力手段と、
前記入力手段により受付けられた前記個人情報に基づいて第２面印刷データを取得する第２面印刷データ取得手段と、
前記入力手段により受付けられた印刷データを第１面印刷データとし、前記第２面印刷データ取得手段により取得した前記第２面印刷データとともに画像形成装置に印刷指示する印刷データ出力部を有することを特徴とする画像形成制御装置。
【請求項７】
操作者が入力する前記個人情報は操作者の属性情報であって、
前記第２面印刷データ取得手段は、第２面印刷データを格納する第２面印刷データ格納部と、
前記入力手段により受付けられた前記属性情報に基づいて、前記第２面印刷データ格納部から特定の第２面印刷データを選定する制御部とからなることを特徴とする請求項６記載の画像形成制御装置。
【請求項８】
操作者が入力する前記個人情報は操作者を特定する個人特定情報であって、
前記第２面印刷データ取得手段は、操作者の前記個人特定情報に対応した属性情報をあらかじめ格納する属性情報格納部と、
第２面印刷データを格納する第２面印刷データ格納部と、
前記属性情報格納部に格納された前記属性情報に基づいて、前記第２面印刷データ格納部から特定の第２面印刷データを選定する制御部とからなることを特徴とする請求項６記載の画像形成制御装置。
【請求項９】
操作者が指定する前記印刷データはスキャナーから受信する印刷データであることを特徴とする請求項６乃至８いずれか一記載の画像形成制御装置。
【請求項１０】
前記第１面印刷データに利用可能な印刷データを格納する画像データ格納部を有し、
操作者が指定する前記印刷データは、前記画像データ格納部に格納された印刷データであることを特徴とする請求項６乃至８いずれか一記載の画像形成制御装置。
【請求項１１】
前記操作者の属性情報は、性別、年齢、住所、職業、学年、学科のうちいずれか一又は複数であることを特徴とする請求項６乃至８いずれか一記載の画像形成制御装置。
【請求項１２】
前記印刷データ出力部が画像形成装置に印刷指示する前記第２面印刷データは複数の印刷データからなり、
前記印刷データ出力部は前記画像形成装置に前記複数の印刷データのオーバーレイ印刷を指示することを特徴とする請求項６乃至８いずれか一記載の画像形成制御装置。
【請求項１３】
前記入力手段は、更に、操作者が入力する印刷要求事項を受付け、
前記第２面印刷データ取得手段は、前記属性情報と前記印刷要求事項に基づいて第２面印刷データを取得することを特徴とする請求項６乃至８いずれか一記載の画像形成制御装置。
【請求項１４】
前記印刷要求事項は、印刷枚数、印刷サイズ、カラー・モノクロ、印刷濃度のうちいずれか一又は複数であることを特徴とする請求項１３記載の画像形成制御装置。
【請求項１５】
操作者が指定する印刷データを受付ける印刷データ受信工程と、
操作者が入力する操作者の個人情報を受付ける個人情報受信工程と、
前記個人情報受信工程により受付けられた前記個人情報に基づいて第２面印刷データを取得する第２面印刷データ取得工程と、
前記印刷データ受信工程により受付けられた印刷データを第１面印刷データとし、前記第２面印刷データ取得工程により取得した前記第２面印刷データとともに画像形成装置に印刷指示する印刷データ出力工程を含むことを特徴とする画像形成制御方法。
【請求項１６】
操作者が入力する前記個人情報は操作者の属性情報であって、
前記第２面印刷データ取得工程は、第２面印刷データを格納する第２面印刷データ格納工程と、
前記個人情報受信工程により受付けられた前記属性情報に基づいて、前記第２面印刷データ格納工程により格納された第２面印刷データから特定の第２面印刷データを選定する第２面印刷データ選定工程を含むことを特徴とする請求項１５記載の画像形成制御方法。
【請求項１７】
操作者が入力する前記個人情報は操作者を特定する個人特定情報であって、
前記第２面印刷データ取得工程は、操作者の前記個人特定情報に対応した属性情報をあらかじめ格納する属性情報格納工程と、
第２面印刷データを格納する第２面印刷データ格納工程と、
前記属性情報格納工程により格納された前記属性情報に基づいて、前記第２面印刷データ格納工程により格納された第２面印刷データから特定の第２面印刷データを選定する第２面印刷データ選定工程を含むことを特徴とする請求項１５記載の画像形成制御方法。
【請求項１８】
前記操作者の属性情報は、性別、年齢、住所、職業、学年、学科のうちいずれか一又は複数であることを特徴とする請求項１５乃至１７いずれか一記載の画像形成制御方法。
【請求項１９】
操作者が指定する印刷データを受付ける印刷データ受信手順と、
操作者が入力する操作者の個人情報を受付ける個人情報受信手順と、
前記個人情報受信手順により受付けられた前記個人情報に基づいて第２面印刷データを取得する第２面印刷データ取得手順と、
前記印刷データ受信手順により受付けられた印刷データを第１面印刷データとし、前記第２面印刷データ取得手順により取得した前記第２面印刷データとともに画像形成装置に印刷指示する印刷データ出力手順をコンピュータに実行させるための画像形成制御プログラム。
【請求項２０】
請求項１９記載の画像形成制御プログラムを記録したコンピュータ読取り可能な記録媒体。
【発明の詳細な説明】
【技術分野】
【０００１】
本発明はコピー機、プリンタ等の画像形成装置の印刷システムに関する。
【背景技術】
【０００２】
従来、コピー機、プリンタ等の使われ方として、裏面に広告を印刷するという技術がある。
【０００３】
これに関連する特許文献としては、特開２０００−３２６５８１号公報（特許文献１）がある。特許文献１によれば、印刷データを印刷媒体の表面に印刷し、裏面にその印刷データとは無関係の例えば広告データ等を印刷できるようにする技術が開示されている。
【特許文献１】特開２０００−３２６５８１号公報
【発明の開示】
【発明が解決しようとする課題】
【０００４】
しかしながらこれらの従来技術において、あらかじめコピー用紙の裏面に印刷する方法は、最新の広告情報に対して即応性、追従性に欠ける。更に、新しい広告があると、新たに印刷、配布を行なわなければならないという問題があった。
【０００５】
一方、コピー印刷時に広告内容を印刷する方法は、印刷装置が広告のデータを蓄積している印刷データサーバへアクセスし、印刷対象の広告データを受取り、広告内容を印刷することでタイムリーな広告データの印刷を実現している。しかしながら、印刷要求者に対する的確な広告であるかどうかは問題である。例えば印刷要求者が男性である場合、女性用化粧品の広告を印刷しても、殆ど無駄な広告を印刷していることになるという問題があった。
【０００６】
そこで、本発明が解決しようとする課題は、印刷媒体の裏面に広告等を印刷する場合、印刷要求者に適応した有効な広告を印刷することにある。
【課題を解決するための手段】
【０００７】
上記課題を解決するための請求項１記載の発明は、操作者の操作によって指定された第１面印刷データと、操作者の属性情報に基づいて選定された第２面印刷データを受信する受信手段と、前記受信手段によって受信した前記第１面印刷データと前記第２面印刷データを媒体の両面に印刷するように制御する印刷制御手段を有することを特徴とする画像形成装置である。
【０００８】
また、請求項６記載の発明は、操作者が指定する印刷データを受付け、更に操作者が入力する操作者の個人情報を受付ける入力手段と、前記入力手段により受付けられた前記個人情報に基づいて第２面印刷データを取得する第２面印刷データ取得手段と、前記入力手段により受付けられた印刷データを第１面印刷データとし、前記第２面印刷データ取得手段により取得した前記第２面印刷データとともに画像形成装置に印刷指示する印刷データ出力部を有することを特徴とする画像形成制御装置である。
【０００９】
また、請求項１６記載の発明は、操作者が指定する印刷データを受付ける印刷データ受信工程と、操作者が入力する操作者の個人情報を受付ける個人情報受信工程と、前記個人情報受信工程により受付けられた前記個人情報に基づいて第２面印刷データを取得する第２面印刷データ取得工程と、前記印刷データ受信工程により受付けられた印刷データを第１面印刷データとし、前記第２面印刷データ取得工程により取得した前記第２面印刷データとともに画像形成装置に印刷指示する印刷データ出力工程を含むことを特徴とする画像形成制御方法である。
【発明の効果】
【００１０】
本発明によれば、印刷媒体の裏面に広告等を印刷する場合、操作者即ち、印刷要求者の個人情報例えば性別、年齢、職業等の属性情報に基づいて、広告やニュース、天気予報等のメッセージを印刷するので、前記印刷要求者の個人情報に対応した広告やメッセージ等を適切に選択して印刷することが可能となる。
【発明を実施するための最良の形態】
【００１１】
（第１の実施の形態）
以下、第１の実施の形態について説明する。図２は第１の実施の形態に関する印刷システムの構成図である。１０は操作者（以下ユーザという）から印刷要求を受けた印刷データ（以下表面印刷データという）と、裏面に印刷する印刷データ（以下広告データという）をプリンタ５０に対し送信するクライアントＰＣである。３０は広告データを格納し、クライアントＰＣ１０からユーザの属性情報を受信し、当該ユーザの属性情報に基づいて所定の広告データを選定するデータサーバである。５０は前記表面印刷データと前記広告データを印刷媒体の両面に印刷するプリンタである。７０はユーザの要求によって原稿を読取って表面印刷データにするイメージスキャナである。
【００１２】
前記クライアントＰＣ１０において、表示デバイス１１はディスプレイからなり、ユーザのために当該クライアントＰＣ１０の入出力情報を表示する。操作デバイス１２はキーボードやマウス等であり、ユーザがクライアントＰＣ１０へ情報の設定、変更等の入力を行なうためのものである。ネットワークデバイス１３はネットワーク２０に接続され、当該ネットワークを介してデータサーバ３０とのデータ通信を行なう。ＩＯＰ１４はプリンタ５０との印刷データの入出力をネットワーク２１を介して行なう。
【００１３】
更に、ＣＰＵ１５は制御プログラムに従ってクライアントＰＣ１０の全体制御を行なうとともに、各種データの解析、作成を行なう。ＲＯＭ１６は基本的な制御プログラムを格納する。ＲＡＭ１７はデータサーバ３０から送られてくる印刷データの保管等一時的に情報を格納する。ハードディスク１８は、印刷データ等の各種データの格納と、印刷制御プログラムの格納を行なう。
【００１４】
前記プリンタ５０はコントローラ部５１とエンジン部５２とからなる。コントローラ部５１は前記クライアントＰＣ１０からの制御データ及び印刷データを受信し、エンジン部５２へ印刷を指示する。コントローラ部５１において、ネットワークデバイス５３は、クライアントＰＣ１０との通信をネットワーク２１を介して行なう。表示パネル５４はプリンタ５０の印刷状況や各種パラメータ等を表示する。操作パネル５５はユーザによって操作される各種パラメータを入力するためのものである。
【００１５】
更に、ＣＰＵ５６はプリンタ５０全体の制御と印刷データの解析、作成を行なう。ＲＯＭ５７はプリンタ５０の制御プログラム、各種制御言語、フォント情報等を格納する。ＲＡＭ５８はクライアントＰＣ１０から送られた各種制御データや印刷データを一時的に格納し、更に、前記イメージスキャナ７０によって読取った画像データ、即ち印刷データを一時的に格納する。プリンタ５０におけるエンジン部５２は、画像形成ユニット５２−２と両面印刷ユニット５９からなる。なお、データサーバ３０の構成は前記クライアントＰＣ１０と同様であるので、図示はしていない。
【００１６】
図３は第１の実施の形態に関するプリンタ５０の構成図である。同図で示すように当該プリンタ５０は給紙装置６１を含み、更に画像形成ユニット５２−２としてのトナーカートリッジ６２、ＬＥＤヘッド６３、感光装置６４、転写装置６５及び定着装置６６並びに両面印刷ユニット５９としての反転装置６７で構成される。
【００１７】
給紙装置６１は印刷媒体を画像形成ユニット５２−２へ給紙するための装置であり、前記コントローラ部５１の印刷指示により印刷媒体を送出する。トナーカートリッジ６２には、感光装置６４に供給するトナーが充填されており、感光装置６４内の図示しない現像ローラの回転に伴ってトナーを感光装置６４に供給する。
【００１８】
感光装置６４は、ＬＥＤヘッド６３が印刷データに対応して発光することにより感光体ドラムに静電潜像を形成し、トナーカットリッジ６２より供給される図示しない現像ローラ上のトナーを感光体ドラム上に静電潜像に対応したトナー像として形成する。
【００１９】
転写装置６５は給紙装置６１より排出された印刷媒体の搬送を行なうとともに、前記感光装置６４内の感光体ドラム上に形成されたトナー像を印刷媒体に転写する。定着装置６６は、前記転写装置６５により搬送された印刷媒体のトナー像を熱と加圧により印刷媒体に定着させる。これにより定着装置６６を通過した印刷媒体の表面には印刷データが印刷される。
【００２０】
前記反転装置６７は定着装置６６を通過した印刷媒体の表裏反転を行なう。表裏反転された印刷媒体は、前記給紙装置６１によって再度画像形成ユニット５２−２へ給紙される。印刷媒体の裏面に印刷データのトナー像が転写され、前記定着装置６６により再度定着が行なわれる。これにより、印刷媒体の裏面にも印刷データが印刷される。両面印刷された印刷媒体は、排出用のローラ等によりプリンタ５０の上部より排出される。
【００２１】
図４はクライアントＰＣ１０の制御機能を示す機能ブロック図である。印刷設定部２２は、ユーザが前記表示デバイス１１を見ながら前記操作デバイス１２を操作して、ユーザが要求するコピーの要求事項（枚数等）と、ユーザが入力するユーザの属性情報（性別等）を受付ける。要求事項格納部２３−１はユーザが入力した要求事項を格納する。属性格納部２３−２は、ユーザが入力したユーザの属性を一時的に格納する。データ取得部２４は、後述するように前記属性格納部２３−２が格納したユーザの属性から、印刷媒体の裏面に印刷する広告データを取得する。
【００２２】
更に、データ変換部２５は、前記データ取得部２４が取得した前記広告データを前記プリンタ５０が印刷可能な印刷データへ変換処理する。印刷制御部２６はユーザが指定する表面印刷データと前記広告データをプリンタ５０に送り、プリンタ５０に対して印刷を指示する。特に当該印刷制御部２６は、広告データを複数指定し、複数の広告データを印刷媒体の裏面に後述するオーバーレイ印刷するように指示する。更に、イメージスキャナ制御部２７はユーザが、希望する原稿を用意してコピーを要求する場合にイメージスキャナ７０に前記原稿の読取を指示する。制御部２８はこれらの動作を制御する。
【００２３】
図５はデータサーバ３０の制御機能を示す機能ブロック図である。ユーザ情報受信部３１はユーザが入力したユーザの属性情報等の情報をネットワーク２０を介して受信する。ユーザ情報処理部３２は、ユーザ情報受信部３１が受信したユーザの属性情報を分析し、後述する広告情報から最適な広告情報を複数選定する。広告情報ストレージ部３４は複数の広告情報から一つの広告情報を選定するために、これら複数の広告情報を格納する。例えば、企業の広告、ニュース、天気予報等である。更に、制御部３５はこれらの動作を制御する。前述のように、前記クライアントＰＣ１０と、前記データサーバ３０を別々に設けることにより、それぞれの機能を分散したので、処理の高速化が図れることになる。ただし、同一のコンピュータで実施することも可能である。
【００２４】
図６はプリンタ５０の制御機能を示す機能ブロック図である。データ送受信部７１はクライアントＰＣ１０からの表面印刷データ及び広告データ、その他コピー枚数等のユーザ要求事項を受信する。更にユーザからの指示がある場合には、前記イメージスキャナ７０が読取った画像データを表面印刷データとして受信する。データ展開部７２は前記データ送受信部７１が受信した表面印刷データ及び広告データをエンジン部５２が印刷可能とするデータ形式の印刷データに展開する。更に、後述するオーバーレイ印刷が可能なように印刷データを展開する。
【００２５】
印刷制御部７５はコピー枚数等のユーザ要求事項に従って、エンジン部５２を制御し、印刷を実行する。データ格納部７４は印刷データとしての表面印刷データ及び広告データ、並びにコピー枚数等のユーザ要求事項を一時的に格納する。
【００２６】
次に、第１の実施の形態の動作を説明する。図７は第１の実施の形態に関するクライアントＰＣ１０の制御動作を示すフローチャートである。まず、制御部２８は前記印刷設定部２２を制御して、表示デバイス１１にコピー印刷実行設定画面を表示する（Ｓ１０１）。図８はこのコピー印刷実行設定画面を示す説明図である。表示デバイス１１には、ユーザが設定する要求事項としてのコピー枚数８１、コピーサイズ８２、カラー又はモノクロコピー８３、印刷濃度８４の入力画面が表示される。更に、ユーザの属性情報としての性別８５、年齢８６、郵便番号８７、職業８８の入力画面も表示される。性別８５及び年齢８６はコピーを行なう上では必須の入力情報とする。図８において、８９はコピーの実行ボタンである。
【００２７】
ユーザが前記操作デバイス１２を操作して、要求事項について設定入力を行なうと、図７に戻り、制御部２８はユーザが入力した要求事項を前記要求事項格納部２３−１に格納する。要求事項の入力は、例えばコピー枚数が１枚、コピーサイズがＡ４、カラー、印刷濃度が＋１のように設定されることになる（Ｓ１０２）。
【００２８】
次に、ユーザは同じく操作デバイス１２を操作して、ユーザの属性情報の入力を行なうと、制御部２８はユーザが入力した属性情報を前記属性格納部２３−２に格納する。属性情報の入力は、例えば性別が男性、年齢が３５歳、郵便番号が９６０−０２５１、職業が会社員である（Ｓ１０３）。最後にユーザはコピーの実行ボタン８９をクリックする（図８）。
【００２９】
制御部２８は、コピーの実行ボタン８９のクリックを検知すると、データ取得部２４を制御し、広告情報の取得を行なう（Ｓ１０４）。即ち、データ取得部２４はネットワーク２０を介して、前記データサーバ３０に対してユーザの属性情報を送信し、後述する広告情報を取得する。制御部２８は、データ変換部２５を制御し、取得した前記広告情報を広告データとして、前記プリンタ５０が印刷可能な印刷データへオーバーレイ登録処理する（Ｓ１０５）。オーバーレイ登録処理については後述する。
【００３０】
一方、ユーザがユーザの用意した原稿のコピーを希望する場合は、制御部２８は、イメージスキャナ制御部２７を制御して、イメージスキャナ７０に対し原稿読取を指示する（Ｓ１０６）。そして、制御部２８は、印刷制御部２６を制御して、読取られたスキャンデータをプリンタ５０に送り、プリンタ５０に対して印刷媒体に表面印刷データの印刷を指示する（Ｓ１０７）。これを受けてプリンタ５０は印刷媒体の表面に、スキャンデータの表面印刷データを印刷する。
【００３１】
なお、ユーザがユーザの用意した原稿のコピーを希望するのではなく、クライアントＰＣ１０に格納した印刷データの印刷を希望する場合は、ステップ１０６がなく、ステップ１０７において、クライアントＰＣ１０のハードディスク１８に格納した印刷データをプリンタ５０に送り、プリンタ５０に対して印刷媒体の印刷を指示する。
【００３２】
最後に、制御部２８は印刷制御部２６を制御して、前記データ取得部２４で取得した広告データをプリンタ５０に送り、当該プリンタ５０に対し、印刷媒体の裏面にオーバーレイ印刷することを指示する（Ｓ１０８）。これを受けて前記プリンタ５０は印刷媒体の裏面に、広告データをオーバーレイ印刷する。
【００３３】
次に、前記ステップ１０４における広告情報の取得、即ち、前記データサーバ３０が行なう広告データの選定方法について説明する。図１は第１の実施の形態に関するデータサーバ３０の制御動作を示すフローチャートである。データサーバ３０の制御部３５は、ユーザ情報受信部３１を制御して、前記クライアントＰＣ１０からユーザ情報を受信する（Ｓ２０１）。ユーザの情報に属性情報があるかどうかチェックし（Ｓ２０２）、なかったらデフォルト広告情報を付与することとする（Ｓ２０３）。デフォルト広告情報を付与するようにすれば、仮にユーザ情報に属性情報が含まれていなかったとしても、広告データを付与することができる。通常は前述の通りユーザの属性情報があるので次に進む。次に、制御部３５は優先広告情報があるかどうかチェックする（Ｓ２０４）。即ち、優先広告情報とは、前記属性情報の内容にかかわらず、無条件に最優先で印刷されることを別途定めた広告内容である。制御部３５は優先広告情報があれば優先広告情報を付与する（Ｓ２０５）。優先広告情報を選択するようにすれば、個人の属性情報に基づかない優先した広告がある場合にこれを設定することができる。
【００３４】
次にデータサーバ３０の制御部３５は、ユーザ情報処理部３２を制御し、前記属性情報に基づいて、次に説明する広告情報ストレージ部３４に格納された広告情報から、複数の広告情報を選定する。
【００３５】
図９はデータサーバ３０の広告情報ストレージ部３４に格納される広告情報のレイアウトを示す説明図である。広告データ９０のエリアには、広告内容が格納され、プリンタドライバにより作成された印刷データコマンド群であり、具体的にはＥＳＣ、Ａ、１３Ｈ等の印刷コマンドデータが格納される。更に、プリンタ５０のオーバーレイ印刷機能において使用するＩＤ番号、例えばＩＤ番号１９０が格納されてもよい。広告情報ストレージ部３４には、前記広告データ９０に対応して、次に説明する当該広告に適合する属性が格納される。
【００３６】
当該広告に適合する属性のうち、性別８５欄には当該広告が適合する対象性別が格納される。例えば、男性は０、女性は１、男女問わない場合は３が格納される。同図の例は、０であるので男性用の広告データであることを示す。年齢８６−１欄には当該広告が適合する対象年齢の範囲のうち最小年齢が格納され、年齢８６−２欄には当該広告が適合する対象年齢の範囲のうち最高年齢が格納される。同図の例では、年齢層が２０歳から４５歳の範囲であることを示す。
【００３７】
更に、郵便番号８７−１欄には第１優先郵便番号が格納され、郵便番号８７−２欄には第２優先郵便番号が格納される。同図の例では、郵便番号が「９６０」の住所のユーザが当該広告が適合する第１優先であり、郵便番号が「９６１」の住所のユーザが当該広告が適合する第２優先であることを示す。職業８８欄には当該広告が適合する職業がコード番号で格納され、例えば会社員は００１が格納される。優先順位７７欄は同じ条件の広告データ複数ある場合にそのうち１個を選定するためにあらかじめ付与する優先順位である。優先順位を付与することにより、検索が容易となる。同図の例では、当該広告データ９０の優先順位が１位であることを示す。このように前記広告データ９０に対応して、当該広告に適合する属性が格納されるので、ユーザの属性情報に対応する広告データ９０を検索するのが容易となる。
【００３８】
図１に戻り、ステップ２０６において、前記データサーバ３０の制御部３５はユーザ情報処理部３２を制御し、まず、ユーザ情報受信部３１が受信した前記属性情報の内容から性別８５を読取り、広告情報ストレージ部３４の性別８５欄を検索し、一致する広告の中から優先する広告を選別する（Ｓ２０６）。優先する広告の選別方法は、各広告に前記優先順位７７をあらかじめ付与しておき、その優先順位７７順でもよい。また、各広告に図示しないシリアル番号をあらかじめ付与しておき、そのシリアル番号順でもよい。シリアル番号順とすれば、あらかじめ広告情報ストレージ部３４に準備した広告データを順に優劣なく付与することができる。最終的には性別優先広告として少なくとも１個の広告を選定する。
【００３９】
次に前記制御部３５は、ユーザ情報受信部３１が受信した前記属性情報の内容から年齢８６を読取り、広告情報ストレージ部３４の年齢８６−１欄と年齢８６−２欄に格納された年齢範囲を検索し、範囲内を示す広告を選別する。該当する広告が複数ある場合は、優先する広告を選別する。優先する広告の選別方法は、前記ステップ２０６と同様に、優先順位７７順でもよく、シリアル番号順でもよい。仮に、前記属性情報の内容の年齢８６を範囲内とする広告がなかった場合は、前記属性情報の内容の年齢８６に１歳加齢した条件で再度検索する。範囲内を示す広告が選別されるまでこれを繰返す（Ｓ２０７）。最終的には年齢優先広告として少なくとも１個の広告を選定する。
【００４０】
前記属性情報のうち郵便番号８７及び職業８８に付いては、上記性別８５及び年齢８６による広告データの選択に対し補助的情報として使用する。即ち、前記データサーバ３０の制御部３５は、前記属性情報の内容から郵便番号８７を読取り、上記性別８５及び年齢８６にて選別されなかった広告データの中から、郵便番号８７、即ち住所による検索を行なって絞り込む（Ｓ２０８）。
【００４１】
次に制御部３５は、前記属性情報の内容から職業８８を読取り、上記性別８５、年齢８６及び郵便番号８７にて選別されなかった広告データの中から、職業８８による検索を行なって絞り込む（Ｓ２０９）。条件一致が複数の広告データとなった場合には、先にデータベースから読み出した広告データを優先させることとしてもよく、優先順位７７順又はシリアル番号順に絞り込んでもよい。
【００４２】
このようにして前記データサーバ３０の制御部３５は、優先順位で広告内容を絞り込み、複数個の広告内容を選定する。そして、制御部３５は、選定した広告データを前記広告情報ストレージ部３４から読出し、ネットワーク２０を介して、前記クライアントＰＣ１０へ返送する（Ｓ２１０）。
【００４３】
以上により、クライアントＰＣ１０が前記ステップ１０４において広告情報を取得する。その後、前述の通り、クライアントＰＣ１０の制御部２８は、データ変換部２５を制御し、取得した前記広告情報を広告データとして、前記プリンタ５０が印刷可能な印刷データへオーバーレイ登録処理する（Ｓ１０５）。
【００４４】
次に、ステップ１０５におけるオーバーレイ登録について説明する。オーバーレイ登録は、プリンタ５０においてオーバーレイ印刷機能を使って印刷を行なうために、プリンタ５０に対して、ＩＤを指定した上で印刷データを登録することである。即ち、登録はプリンタ５０の前記データ格納部７４に格納するものである。オーバーレイ印刷機能は、頻繁に使用する印刷データを他の印刷データに重ね合わせて印刷する機能である。よって後に、プリンタ５０に対して、ＩＤを指定してオーバーレイ印刷を指示すると、プリンタ５０は登録した前記印刷データをオーバーレイ印刷する。なお、前記オーバーレイ登録は印刷データを印刷する配置等を含むものである。
【００４５】
クライアントＰＣ１０の制御部２８は、データサーバ３０においてデフォルト広告が付与された場合（Ｓ２０３）には、当該デフォルト広告の広告データとデフォルト広告ＩＤ（例えば１８８）をプリンタ５０に対しオーバーレイ登録する。通常の場合にはデフォルトにはならないので、クライアントＰＣ１０の制御部２８は、データサーバ３０によって付与された優先広告（Ｓ２０５）の広告データと優先広告ＩＤ（例えば１８９）をプリンタ５０に対しオーバーレイ登録する。
【００４６】
更に、クライアントＰＣ１０の制御部２８は、性別優先広告の広告データ（Ｓ２０６）と性別広告ＩＤ（例えば１９０）を登録する。次に、年齢優先広告の広告データ（Ｓ２０７）と年齢広告ＩＤ（例えば１９１）を登録する。更に職業優先広告又は住所優先広告に関する広告データ（Ｓ２０８又はＳ２０９）とＩＤ（例えば１９２、１９３）をプリンタ５０に対し登録処理を行なう。
【００４７】
次に、図１０により、前記ステップ１０８における裏面オーバーレイ印刷指示について詳述する。図１０はクライアントＰＣによるプリンタに対する裏面オーバーレイ印刷指示（Ｓ１０８）の詳細を示すフローチャートである。なお、ステップ１０８の時点では、前述の通り、広告データは、ステップ１０５によりプリンタ５０のデータ格納部７４に格納されていることとする。
【００４８】
図１０において、まず、デフォルト広告が付与されている場合はデフォルト広告の印刷のためにデフォルト広告ＩＤ（例えば１８８）が指定される（Ｓ３０１）。通常の場合はデフォルトではないので、次のステップに行く。次に、優先広告印刷のための優先広告ＩＤ（１８９）が指定される（Ｓ３０２）。次に、性別優先広告のための性別広告ＩＤ（１９０）が指定される（Ｓ３０３）。次に、年齢優先広告のための年齢広告ＩＤ（１９１）が指定される（Ｓ３０４）。次に、職業優先広告のための職業広告ＩＤ（１９２）又は住所優先広告のための住所広告ＩＤ（１９３）が指定される（Ｓ３０５、Ｓ３０６）。最後に、裏面オーバーレイ印刷の指示がされると（Ｓ３０７）、プリンタ５０による印刷が開始される（Ｓ３０８）。
【００４９】
図１１は裏面オーバーレイ印刷を示す説明図である。印刷媒体Ｐの裏面に対して、左上部にＩＤ番号１８９によって指定された優先広告の内容が印刷され、右上部にはＩＤ番号１９０によって指定された性別優先広告の内容が印刷される。更に左下部にＩＤ番号１９１によって指定された年齢優先広告の内容が印刷され、右下部にはＩＤ番号１９２によって指定された職業優先広告の内容が印刷される。
【００５０】
以上、第１の実施の形態によれば、ユーザの属性情報をもとにユーザ一人ひとりに対してより的確な広告内容を選定することで、広告印刷内容の広告効果を高めることを可能とすることができる。第１の実施の形態において、クライアントＰＣ１０の操作デバイス１２にユーザがユーザの属性情報を入力することとしたので、年齢等は最新の情報が得られ、ユーザ個人の実情に適合した広告内容を選定することができる。
【００５１】
更に、第１の実施の形態によれば、プリンタ５０はオーバーレイ印刷機能を利用することにより、特別なソフトウェアを必要とせずに、裏面広告印刷を実現できる。さらに、プリンタ５０のオーバーレイ機能におけるＩＤのみを指定すれば、その都度印刷データを送信しなくても広告データを複数指定して印刷できるので、処理時間が短縮化することが可能となる。
【００５２】
（第２の実施の形態）
次に、第２の実施の形態について説明する。第２の実施の形態において、前記第１の実施の形態と同一の要素については同一の符号をもって示す。前記第１の実施の形態は、ユーザが属性情報をその都度入力するものであったが、本第２の実施の形態では、ユーザの属性情報はあらかじめ登録済として格納されており、ユーザが入力する情報は会員番号等の個人を特定する情報とするものである。第２の実施の形態の構成については、前記第１の実施の形態とほぼ同様であるので第１の実施の形態の説明を援用する。
【００５３】
図１２は第２の実施の形態に関するデータサーバ３０の制御機能を示す機能ブロック図である。ユーザ情報受信部３１はユーザが入力したユーザの個人特定情報としての会員番号をネットワーク２０を介して受信する。なお、会員番号の入力は、会員番号を記憶した会員カードを非接触で読取ることにより、入力するようにしてもよい。ユーザ情報処理部３２は、ユーザ情報受信部３１が受信したユーザの会員番号を分析し、後述する広告情報から最適な広告情報を選定する。
【００５４】
ユーザ情報ストレージ部９１は前記会員番号に対応して、ユーザの属性情報（性別、年齢、郵便番号、職業等）を格納する。ユーザデータ管理部３３は前記ユーザ情報ストレージ部９１に格納した前記ユーザの属性情報（例えば年齢、回数）を必要に応じて更新する。広告情報ストレージ部３４は複数の広告情報から特定の広告情報を選定するために、これら複数の広告情報を格納する。更に、制御部３５はこれらの動作を制御する。
【００５５】
次に、第２の実施の形態の動作を説明する。図１３は第２の実施の形態に関するクライアントＰＣ１０の制御動作を示すフローチャートである。まず、制御部２８は前記印刷設定部２２を制御して、表示デバイス１１にコピー印刷実行設定画面を表示する（Ｓ４０１）。図１４はこのコピー印刷実行設定画面を示す説明図である。表示デバイス１１には、ユーザが設定する要求事項としてのコピー枚数８１、コピーサイズ８２、カラー又はモノクロコピー８３、印刷濃度８４の入力画面が表示される。更に、ユーザの個人情報としての会員番号９２の入力画面が表示される。会員番号９２はユーザを特定する為の情報であり、コピーを行なう上では必須の入力情報とする。同図において、８９はコピーの実行ボタンである。
【００５６】
図１３に戻り、ユーザが前記操作デバイス１２を操作して、要求事項について設定入力を行なうと、制御部２８はユーザが入力した要求事項を前記要求事項格納部２３−１に格納する。要求事項の入力は、例えばコピー枚数が１枚、コピーサイズがＡ４、カラー、印刷濃度が＋１のように設定されることになる（Ｓ４０２）。
【００５７】
次に、ユーザは同じく操作デバイス１２を操作して、ユーザの会員番号９２の入力を行なうと、制御部２８はユーザが入力した会員番号９２を図示しない会員番号格納部に格納する。最後にユーザはコピーの実行ボタン８９をクリックする（図１４）。
【００５８】
制御部２８は、コピーの実行ボタン８９のクリックを検知すると、データ取得部２４を制御し、広告情報の取得を行なう（Ｓ４０４）。即ち、データ取得部２４はネットワーク２０を介して、前記データサーバ３０に対してユーザの会員番号を送信し、後述する広告情報を取得する。
【００５９】
制御部２８は、データ変換部２５を制御し、取得した前記広告情報を広告データとして、前記プリンタ５０が印刷可能な印刷データへ変換処理する（Ｓ４０５）。
【００６０】
一方、ユーザがユーザの用意した原稿のコピーを希望する場合は、制御部２８は、イメージスキャナ制御部２７を制御して、イメージスキャナ７０に対し原稿読取を指示する（Ｓ４０６）。そして、制御部２８は、印刷制御部２６を制御して、読取られたスキャンデータをプリンタ５０に送り、プリンタ５０に対して印刷媒体に表面印刷データの印刷を指示する（Ｓ４０７）。これを受けてプリンタ５０は印刷媒体の表面に、スキャンデータの表面印刷データを印刷する。
【００６１】
なお、ユーザがユーザの用意した原稿のコピーを希望するのではなく、クライアントＰＣ１０に格納した印刷データの印刷を希望する場合は、ステップ４０６がなく、ステップ４０７において、クライアントＰＣ１０のハードディスク１８に格納した表面印刷データをプリンタ５０に送り、プリンタ５０に対して印刷媒体の印刷を指示する。
【００６２】
最後に、制御部２８は印刷制御部２６を制御して、前記データ取得部２４で取得した広告データをプリンタ５０に送り、当該プリンタ５０に対し、印刷媒体の裏面に印刷することを指示する（Ｓ４０８）。これを受けて前記プリンタ５０は印刷媒体の裏面に、広告データを印刷する。
【００６３】
次に、前記ステップ４０４における広告情報の取得、即ち、前記データサーバ３０が行なう広告データの選定方法について説明する。図１５は第２の実施の形態に関するデータサーバ３０の制御動作を示すフローチャートである。データサーバ３０の前記制御部３５（図１２）は、ユーザ情報受信部３１を制御して、前記クライアントＰＣ１０からユーザの会員番号を受信する（Ｓ５０１）。次に、制御部３５は受信した会員番号から、前記ユーザ情報ストレージ部９１に格納してあるユーザの属性情報を読み出す（Ｓ５０２）。
【００６４】
図１６は前記ユーザ情報ストレージ部９１に格納されるユーザの属性情報の内容を示す説明図である。ユーザ情報ストレージ部９１はユーザ毎に、会員番号９２を基にしてユーザの属性情報が格納されている。例えば性別８５欄には男性は０、女性は１が格納される。年齢８６欄にはユーザの年齢が格納される。回数９３欄には、ユーザが本サービスを利用した回数が格納される。当該回数９３欄は前記ユーザデータ管理部３３によって更新され、図示しないサービスポイントの計算の基礎にすることができる。
【００６５】
更に、郵便番号８７欄にはユーザの郵便番号が格納される。職業８８欄にはユーザの職業がコード番号で、例えば公務員は００２が格納される。９４は電話番号、９５は住所が格納される欄である。
【００６６】
図１５に戻り、ユーザが会員でなかったら（Ｓ５０３）、デフォルト広告情報を付与することとする（Ｓ５０４）。通常はユーザが会員であるので次に進む。次に、制御部３５は優先広告情報があるかどうかチェックする（Ｓ５０５）。即ち、優先広告情報とは、前記属性情報の内容にかかわらず、無条件に最優先で印刷されることを別途定めた広告内容である。制御部３５は優先広告情報があれば優先広告情報を付与する（Ｓ５０６）。
【００６７】
次に制御部３５は、ユーザ情報処理部３２を制御し、前記図９に示す広告情報ストレージ部３４に格納された広告情報から、前記属性情報に基づいて複数の広告情報を選定する。
【００６８】
制御部３５はまず、前記ユーザ情報ストレージ部９１から読出した前記属性情報の内容から性別８５を読取り、広告情報ストレージ部３４の性別８５欄を検索し、一致する広告の中から優先する広告を選別する（Ｓ５０７）。優先する広告の選別方法は、前記第１の実施の形態と同様に、前記優先順位７７順でもよく、図示しないシリアル番号順でもよい。最終的には、性別優先広告として少なくとも１個の広告を選定する。
【００６９】
次に制御部３５は、前記属性情報の内容から年齢８６を読取り、広告情報ストレージ部３４の年齢８６−１欄と年齢８６−２欄に格納された年齢範囲を検索し、範囲内を示す広告を選別する。仮に、前記属性情報の内容の年齢８６を範囲内とする広告がなかった場合は、前記属性情報の内容の年齢８６に１歳加齢した条件で再度検索する。範囲内を示す広告が選別されるまでこれを繰返す（Ｓ５０８）。最終的には、年齢優先広告として少なくとも１個の広告を選定する。
【００７０】
前記属性情報のうち郵便番号８７及び職業８８は、上記性別８５及び年齢８６による広告データの選択に対し、補助的情報として使用する。即ち、制御部３５は、前記属性情報の内容から郵便番号８７を読取り、上記性別８５及び年齢８６にて選別されなかった広告データの中から、郵便番号８７、即ち住所による検索を行なって絞り込む（Ｓ５０９）。
【００７１】
次に制御部３５は、前記属性情報の内容から職業８８を読取り、上記性別８５、年齢８６及び郵便番号８７にて選別されなかった広告データの中から、職業８８による検索を行なって絞り込む（Ｓ５１０）。条件一致が複数の広告データとなった場合には、先にデータベースから読み出した広告データを優先させることとしてもよく、前記優先順位７７順又は図示しないシリアル番号順に絞り込んでもよい。
【００７２】
このようにして前記データサーバ３０の制御部３５は、優先順位で広告内容を絞り込み、複数の広告内容を選定する。そして、制御部３５は、選定した広告データを前記広告情報ストレージ部３４から読出し、ネットワーク２０を介して、前記クライアントＰＣ１０へ返送する（Ｓ５１１）。
【００７３】
その後、クライアントＰＣ１０がプリンタ５０に対して印刷を指示する動作、及びプリンタが前記オーバーレイ機能を利用して印刷を行なう動作については前記第１の実施の形態と同じである。
【００７４】
以上、第２の実施の形態によれば、ユーザの属性情報をもとにユーザ一人ひとりに対してより的確な広告内容を選定することで、広告印刷内容の広告効果を高めることを可能とすることができる。同時に、ユーザはいちいち属性情報を入力することなく、ユーザを特定する為の情報としての会員番号を入力するだけで、ユーザに対して操作に負担をかけずに印刷を行なうことができる。
【００７５】
（第３の実施の形態）
次に第３の実施の形態について説明する。第３の実施の形態において、前記第１の実施の形態と同一の要素については同一の符号をもって示す。第３の実施の形態は、前記第１の実施の形態に対し、前記ユーザの属性情報に大学等の学科・専攻及び学年の情報を加えたものである。
【００７６】
図１７は第３の実施の形態に関するコピー印刷実行設定画面を示す説明図である。表示デバイス１１には、ユーザが設定する要求事項としてのコピー枚数８１、コピーサイズ８２、カラー又はモノクロコピー８３、印刷濃度８４の入力画面が表示される。更に、ユーザの属性情報としての性別８５、学年９６、学科・専攻９７の入力画面が表示される。
【００７７】
図１８は広告情報ストレージ部３４に格納される広告情報のレイアウトを示す説明図である。当該広告に適合する属性のうち、性別８５欄には当該広告が適合する対象性別が格納される。例えば、男性は０、女性は１、男女問わない場合は３が格納される。学年９６欄には当該広告が適合する対象となる学年がコードで格納され、例えば学部３年は１３、修士１年は２１が格納される。更に、学科・専攻９７欄には、当該広告が適合する学科又は専攻がコードで格納され、例えば電子工学科５３、化学科は４３が格納される。
【００７８】
このように、第３の実施の形態によれば、ユーザの属性情報に基づいて広告データを選定することができるので、例えば特定の学年の特定の学科のユーザに対して、例えば構内掲示板に掲示する情報を改めて印刷媒体Ｐの裏面に印刷するようにすれば、大学と学生間のコミュニケーションツールとして利用することができる。
【００７９】
前記実施の形態において、広告データを選定するのに、ユーザが入力するユーザの属性情報（又は個人特定情報としての会員番号）に基づいて広告データを選定しているか、本発明はこれに限らない。即ち、ユーザが要求するコピーの枚数等の要求事項の入力を受付けて、当該要求事項と前記属性情報に基づいて前記広告データを選定することも可能である。例えば、コピー枚数１枚を設定するユーザにはＡ社の広告を選定するところ、コピー枚数２枚以上を設定するユーザにはＢ社の広告を選定することも可能である。この場合前記ステップ１０４において、データ取得部２４は前記データサーバ３０に対してユーザの属性情報と前記要求事項を送信することになる。更に、前記広告情報ストレージ部３４には、当該広告が適合する要求事項（例えば印刷枚数２枚以上）に適合する広告であることを示す要求事項欄を設ける。このようにすれば、印刷要求者に適応したより有効な広告を印刷することができる。
【図面の簡単な説明】
【００８０】
【図１】第１の実施の形態に関するデータサーバの制御動作を示すフローチャートである。
【図２】第１の実施の形態に関する印刷システムの構成図である。
【図３】第１の実施の形態に関するプリンタの構成図である。
【図４】クライアントＰＣの制御機能を示す機能ブロック図である。
【図５】データサーバの制御機能を示す機能ブロック図である。
【図６】プリンタの制御機能を示す機能ブロック図である。
【図７】第１の実施の形態に関するクライアントＰＣの制御動作を示すフローチャートである。
【図８】第１の実施の形態に関するコピー印刷実行設定画面を示す説明図である。
【図９】データサーバの広告情報ストレージ部に格納される広告情報のレイアウトを示す説明図である。
【図１０】クライアントＰＣによるプリンタに対する裏面オーバーレイ印刷指示の詳細を示すフローチャートである。
【図１１】裏面オーバーレイ印刷を示す説明図である。
【図１２】第２の実施の形態に関するデータサーバの制御機能を示す機能ブロック図である。
【図１３】第２の実施の形態に関するクライアントＰＣの制御動作を示すフローチャートである。
【図１４】第２の実施の形態に関するコピー印刷実行設定画面を示す説明図である。
【図１５】第２の実施の形態に関するデータサーバの制御動作を示すフローチャートである。
【図１６】第２の実施の形態に関するユーザ情報ストレージ部に格納されるユーザの属性情報の内容を示す説明図である。
【図１７】第３の実施の形態に関するコピー印刷実行設定画面を示す説明図である。
【図１８】広告情報ストレージ部に格納される広告情報のレイアウトを示す説明図である。
【符号の説明】
【００８１】
１０        クライアントＰＣ
２２        印刷設定部
２３−１      要求事項格納部
２３−２      属性格納部
３０        データサーバ
３４        広告情報ストレージ部
５０        プリンタ
７０        イメージスキャナ
【図１】
2010076260.tif 000003
【図２】
2010076260.tif 000004
【図３】
2010076260.tif 000005
【図４】
2010076260.tif 000006
【図５】
2010076260.tif 000007
【図６】
2010076260.tif 000008
【図７】
2010076260.tif 000009
【図８】
2010076260.tif 000010
【図９】
2010076260.tif 000011
【図１０】
2010076260.tif 000012
【図１１】
2010076260.tif 000013
【図１２】
2010076260.tif 000014
【図１３】
2010076260.tif 000015
【図１４】
2010076260.tif 000016
【図１５】
2010076260.tif 000017
【図１６】
2010076260.tif 000018
【図１７】
2010076260.tif 000019
【図１８】
2010076260.tif 000020